(57)【要約】【課題】ポインター装置に用いる回転ベクトル捕捉装置構造の提供。【解決手段】本考案のポインター装置に用いる回転ベクトル捕捉装置構造は、ローラー回転ベクトルを捕捉する装置構造である。該構造は、電磁式ローラーモジュール、磁場信号捕捉ユニットを精確に整合ベース中に配置して、一つの独立した回転ベクトルの捕捉装置となる。該構造は、快速、安定、且つ、精確に、回転ベクトル信号を捕捉することができる。本考案は、ローラーの回転ベクトルにより永久磁石を駆動して旋転させ、磁場変化信号を生成すると共に、磁場信号捕捉ユニット（ホール素子により構成）により、磁場変化信号を捕捉して、対応する電気信号に転換する。捕捉された電気信号はデジタルデータに転換された後、マイクロプロセッサの演算功能により、ローラーの回転ベクトル（方向と角度）数値を計算し、幅広く電子装置中に応用されて、ローラーのスクロール制御功能となる。【選択図】図３
0003138117.tif 000002
【実用新案登録請求の範囲】
【請求項１】
ポインター装置に用いる回転ベクトル捕捉装置構造であって、整合ベースと、電磁式ローラーモジュールと、磁場信号捕捉ユニットと、からなり、
前記整合ベースは、ローラー容納槽を有し、前記電磁式ローラーモジュールを置放し、
前記電磁式ローラーモジュールは前記整合ベースに配置され、
ローラー環と、
磁石定位軸を有し、前記ローラー環内荷設置されるローラーベアリングと、
前記ローラー環外に設置されるローラー防滑素子と、
環形構造で、前記ローラーベアリングの磁石定位軸に固定され、前記ローラーベアリングと同時に旋転する永久磁石と、から構成され、
前記磁場信号捕捉ユニットは、前記整合ベースに配置され、前記永久磁石に近接し、回路板と複数のホール素子からなり、前記ホール素子は前記回路板に電気的に接続され、
前記ローラー防滑素子を転動させて、前記ローラー環、前記ローラーベアリング、及び、前記永久磁石が同時に転動し、磁場変化を生成し、更に、前記磁場信号捕捉ユニットにより、磁場変化の信号を捕捉すると共に、前記回路板により指定の受信領域に伝送することを特徴とするポインター装置に用いる回転ベクトル捕捉装置構造。
【請求項２】
前記整合ベース上のローラー容納槽は四角形のフレーム体であることを特徴とする請求項１に記載のポインター装置に用いる回転ベクトル捕捉装置構造。
【請求項３】
前記磁場信号捕捉ユニットは前記整合ベースの一側辺に設置されることを特徴とする請求項１に記載のポインター装置に用いる回転ベクトル捕捉装置構造。
【請求項４】
前記磁場信号捕捉ユニットは前記整合ベースの一側辺に設置され、前記整合ベースに鎖固されることを特徴とする請求項１に記載のポインター装置に用いる回転ベクトル捕捉装置構造。
【請求項５】
更に、前記ローラーベアリングに被せるローラーベアリングカバーを有し、前記ローラーベアリング外に複数の定位ブロックを設置し、前記ベアリングカバー外に複数の定位ブロックを有し、前記ローラーベアリングカバー外に、前記定位ブロックの位置に対応する複数の定位孔を設置し、前記ローラーベアリングカバーが前記ローラーベアリング外に設置される時、前記定位ブロックは、前記定位孔内に挿入され、また、前記ベアリングカバーは中空の管体で、一端の開口内径が前記永久磁石の外径より小さいことを特徴とする請求項１に記載のポインター装置に用いる回転ベクトル捕捉装置構造。
【考案の詳細な説明】
【技術分野】
【０００１】
本考案はポインター装置に用いる回転ベクトル捕捉装置構造に関するものであって、特に、回転ベクトル捕捉装置の構造を提供し、電磁式ローラーモジュール、及び、磁場信号捕捉ユニットをベース中に整合し、快速、安定、且つ、精確に、電磁式ローラーモジュールの回転ベクトル信号を捕捉し、電子、情報商品中に広く応用し、ローラーの巻動制御機能とする回転ベクトル捕捉装置構造に関する。
【背景技術】
【０００２】
「マウス」ポインターは、現在、最もよく使用されているコンピュータ周辺装置の一つで、主に、カーソル移動、スクロール、及び、クリックの三大功能がある。しかし、「マウス」ポインターのスクロール制御功能は多くの欠点がある。
【０００３】
１．   現在の「マウス」ポインターは大部分がローラーの旋転動作により機械式スイッチエンコーダー(Switch Encoder)の開閉動作を駆動して、スクロール制御功能を達成している。しかし、機械式スイッチエンコーダは使用回数が増加すると接触不良を生じやすく、使用寿命が短すぎる。
２．   機械式スイッチエンコーダは構造の制限により高いスクロール解像度(Scrolling Resolution)が提供できないので、快速スクロール制御功能が提供できない。
３．   機械式スイッチエンコーダは、機会摩擦の制限を受けて連続転動できず、よって、連続スクロール制御功能が提供できない。
４．   ある新型ポインターは、光柵エンコーダ原理により光学式エンコーダ装置の応用を達成して、機械式スイッチエンコーダの欠点を解決しているは、スクロール解像度が低すぎるという問題がある。
５．   光学式エンコーダのスクロール解像度は、ローラーの直径の大きさによる制限を受け、ローラーの直径が小さいほど、ローラーのスクロール解像度が低くなり、機構設計も更に困難になる。
６．   光学式エンコーダの光柵エンコーダは大きいローラー面積を必要とし、よって、小尺寸の電子装置中に応用しにくく、その応用範囲が制限されやすい。
【０００４】
よって、上述の装置の欠点を改善する必要がある。
【考案の開示】
【考案が解決しようとする課題】
【０００５】
本考案の目的は、上述の問題を改善するポインター装置に用いる回転ベクトル捕捉装置構造を提供することにある。
【課題を解決するための手段】
【０００６】
本考案の装置の構造は、電磁式ローラーモジュール、磁場信号捕捉ユニット、及び、整合ベースからなる。電磁式ローラーモジュールは、永久磁石、ローラーベアリング、ローラー環、及び、ローラー防滑素子等から構成される。また、磁場信号捕捉ユニットは、回路板と二個以上のホール素子から構成される。
【０００７】
本考案の装置は、電磁式ローラーモジュール、磁場信号捕捉ユニットを精確に整合ベース中に配置して、磁場信号捕捉ユニットが、快速、安定、且つ、精確に、電磁式ローラーモジュールの転動時に生成する回転ベクトル信号を捕捉し、対応する電気信号に転換する。      
【考案の効果】
【０００８】
本考案の装置は、配置された電磁式ローラーモジュールのローラー回転ベクトル信号を捕捉するのに用いられる。捕捉されたローラー回転ベクトル信号は、アナログデジタルコンバータによりデジタルデータに転換され、デジタルデータは、マイクロプロセッサの演算処理により、ローラーの回転ベクトル数値を計算し、ポインター、或いは、その他の電子装置中に広く応用され、スクロール制御功能となる。
【考案を実施するための最良の形態】
【０００９】
本考案のポインター装置（マウス）を実施例とするが、その他の電子、情報製品中に応用し、相関する功能の応用装置とすることができる。
【００１０】
図１は、ポインター装置１（マウス）を示す図である。電磁式ローラーモジュール２、磁場信号捕捉ユニット３が、整合ベース２５に整合されて、回転ベクトル捕捉装置となり、ポインター装置１中で、スクロール制御功能の装置となる。
【００１１】
図２と図３は、本考案の装置の構造図であり、電磁式ローラーモジュール２、磁場信号捕捉ユニット３、整合ベース２５の三大部分からなる。整合ベース２５は、環状のローラー容納槽２５１で、容納槽２５１の両側にそれぞれ対応位置のベアリング結合孔２５２を設置し、容納槽２５１の側辺は、信号捕捉領域２５３を設置し、信号捕捉領域２５３は少なくとも一つの係合素子２５１１を有する。電磁式ローラーモジュール２は、整合ベース２５のローラー組容納槽２５１内に設置され、永久磁石２１、ローラーベアリング２２、ローラー環２３、及び、ローラー防滑素子２４等から構成される。永久磁石２１は環形構造で、ローラーベアリング２２の磁石定位軸２２１中に固定され、電磁式ローラーモジュール２の旋転に伴って旋転し、磁場変化信号を生成する。更に、磁場信号捕捉ユニット３は、一対の係合素子２５１１により整合ベース２５側辺の信号捕捉領域２５３中に固定される。図６を同時に参照すると、磁場信号捕捉ユニット３は、回路板３１と二個以上のホール素子３２から構成される。使用者がローラー防滑素子２４を転動させて、ローラー環２３、ローラーベアリング２２、及び、永久磁石２１を帯動するので、永久磁石２１は磁場の変動を生成し、更に、二ホール素子３２により変動磁場を感応して、信号に転換して送信する。
【００１２】
また、図３と図５で示されるように、電磁式ローラーモジュール２中のローラーベアリング２２両端の軸心２２２は、それぞれ、整合ベース２５のベアリング結合孔２５２中に嵌入し、電磁式ローラーモジュール２は、整合ベース２５のローラー容納槽２５１中に安定して置放され、電磁式ローラーモジュール中の永久磁石２１は精確に磁場信号捕捉ユニット３のホール素子３２に対応し、磁場信号捕捉ユニット３は永久磁石２１旋転時に生成される磁場変化信号を精確に捕捉する。
【００１３】
また、図４で示されるように、永久磁石２１を保護するため、永久磁石２１、及び、ローラーベアリング２２にローラーベアリングカバー２６を被せ、更に、ローラーベアリング２２外に複数の定位ブロック２２３を設置すると共に、ベアリングカバー２６外に、定位ブロック２２３の位置に対応する定位孔２６１を設置する。ベアリングカバー２６がローラーベアリング２２に被せられる時、定位ブロック２２３が相対位置上の定位孔２６１上に係入し、結合動作を完成し、永久磁石２１は磁石定位軸２２１上に安定して結合される。更に、ベアリングカバー２６は中空の管体で、且つ、一端の開口内径が永久磁石２１の外径より小さく、ローラーベアリング２２と永久磁石２１が固定位置に挟置するので、滑落を防止する。
【図面の簡単な説明】
【００１４】
【図１】本考案のポインター装置の実施例を示す図である。
【図２】本考案の外観図である。
【図３】本考案の構造の素子分解図である。
【図４】本考案のもう一つの構造の素子分解図である。
【図５】本考案の構造実施例の断面図である。
【図６】本考案の磁性磁場信号捕捉ユニットの平面構造図である。
【符号の説明】
【００１５】
１        ポインター
２        電磁式ローラーモジュール
２１      永久磁石
２２      ローラーベアリング
２２１    磁石定位軸
２２２    軸心
２３      ローラー環
２４      ローラー防滑素子
２５      整合ベース
２５１    ローラー容納槽
２５１１  係合素子
２５２    ベアリング結合孔
２５３    信号捕捉領域
２６      ローラーベアリングカバー
３        磁場信号捕捉ユニット
３１      回路板
３２      ホール素子
【図１】
0003138117.tif 000003
【図２】
0003138117.tif 000004
【図３】
0003138117.tif 000005
【図４】
0003138117.tif 000006
【図５】
0003138117.tif 000007
【図６】
0003138117.tif 000008